(57)【特許請求の範囲】
【請求項１】
視認者の視点側に向かうように立設された所定の厚さの外壁部と、
前記外壁部に対して所定角度を有し、背面側において該外壁部に近接して指示意匠が形成された表示部と、
を有する透過性のある材料で形成された文字板において、
前記指示意匠が前記視点側において拡大されて視認されるように、前記表示部の一部に意匠拡大部を設け、
前記意匠拡大部は、前記表示部における前記外壁部の直上部に相当する部位が斜面状に切り欠かれたような形状をしている、
ことを特徴とする文字板。
【請求項２】
請求項１記載の文字板において、
前記意匠拡大部は、
凹面状をしている、
ことを特徴とする文字板。
【請求項３】
請求項１又は請求項２に記載の文字板において、
前記表示部は、
前記外壁部における前記視認者に最も近い箇所を頂点として内側に向かって徐々に下降していくように形成されている、
ことを特徴とする文字板。
【発明の詳細な説明】
【技術分野】
【０００１】
本発明は、透過性のある材料で形成された文字板に関し、特に、自動車等に搭載される計器に用いられる文字板に関する。
【背景技術】
【０００２】
従来、自動車等に搭載される計器においては、立体感を表現するために様々な工夫がなされている。このような中で、図６に示すような透過性のある材料で形成された導光型の文字板を有する計器が提案されている。図６は、従来のこの種の文字板を有する計器の要部を示す斜視図である。図７は、図６の文字板を有する計器の問題点を説明するための図６におけるＢＢ線断面図である。
【０００３】
図６に示すように、計器８は、スピードメータを例にとると、固定板８３、固定板８３の裏面に配置されたムーブメント（不図示）によって駆動され、該固定板８３の表面に沿って回動する指針８２と、指針８２に指示される意匠８１ａ、８１ｂが形成されると共に光源８４からの光を導光可能な導光型の文字板８１と、を有している。
【０００４】
文字板８１は、固定板８３の表面（ドライバ等の視点側）に取り付けられている。ムーブメント及び光源８４は、固定板８３の裏面側に配置され、遮光性のある固定板８３によってドライバ等の視点からは隠匿されている。半円環状の文字板８１の端部は折れ曲がって受光部８１ｃが形成されている。受光部８１ｃは、固定板８３に設けられた穴８３ａを介して、固定板８３の裏面側に突き抜けている。
【０００５】
このような構成において、所定の点灯信号によって光源８４が点灯すると、光源８４からの光は受光部８１ｃに入り、半円環状の文字板８１は光輝し、文字板８１が固定板８３から浮かびあがったようにドライバから視認される。これにより、計器８において、立体感を表現することができる。なお、指針８２は、周知のように、固定板８３の裏面側に配置された光源（不図示）からの光を受けて赤色等で光輝すると共にムーブメントにより回転されて、文字板８１に形成された所定の意匠８１ａ、８１ｂを指示する。
【０００６】
しかしながら、上記従来の文字板を用いた計器８においては、ある程度の立体感は表現できるものの、文字板８１は平面的であるので十分な立体感は表現できない。また、図７に示すように、窓側からの外部光Ｓが、文字板８１に反射してドライバの視点ＥＰに入ってしまい、視認されるべき意匠８１ａ、８１ｂの視認性が低下することもあった。すなわち、従来の文字板を用いた計器８においては、立体感に乏しいうえに視認性も十分考慮されていなかった。
【０００７】
そこで、このような問題を解決するために、本出願人は、下記特許文献１において、図８〜図１０に示すような文字板を用いた計器を提案し特許出願した。図８は、他の従来の文字板を用いた計器の要部を示す斜視図である。図９は、図８におけるＣＣ線断面図である。図１０は、図８の文字板による作用及び問題点を説明するための斜視図である。
【０００８】
図８に示すように、計器９は、例えば、スピードメータ部を示し、遮光性のある固定板９３、固定板９３の裏面に配置されたムーブメントによって駆動され、該固定板９３の表面に沿って回動する指針９２と、この指針９２に指示される目盛り９１２ａ、数字９１２ｂが形成されると共に光源９４からの光を導光可能な透過性のある材料で形成された文字板９１と、を有している。
【０００９】
文字板９１は、固定板９３の表面に取り付けられている。ムーブメント及び光源９４は、固定板９３の裏面側に配置され、固定板９３によってドライバ等の視点からは隠匿されている。半円環状の文字板９１の端部は折れ曲がって受光部９１５が形成されている。受光部９１５は、固定板９３に設けられた穴９３ａを介して、固定板９３の裏側に突き抜けている。受光部９１５は、光源９４としての発光ダイオードに対向するように設定されている。
【００１０】
また、文字板９１には、表示部９１２の内縁部に半円状にシボ加工部９１１が形成されている。また、文字板９１は、上記角度を維持するために固定板９３に垂直に、すなわち、ドライバの視点側に向かうように立設された外壁部９１４を有している。
【００１１】
更に、文字板９１は、外側（指針軸方向と逆方向）に向かって徐々に隆起していくような半円環状をして、目盛り９１２ａ、数字９１２ｂを視認すべきドライバの視点ＥＰにその表示部９１２が対面するような所定角度を持って、固定板９３から該視点ＥＰ側に浮き上がるように配置されている。目盛り９１２ａ、数字９１２ｂは、図９にも示すように、表示部９１２の裏面側に凹状に形成されている。目盛り９１２ａ、数字９１２ｂは、例えば、白色、青色等に着色されている。
【００１２】
指針９２は、周知のように、固定板９３の裏面側に配置された光源（不図示）からの光を受けて指針底面に形成されたホットスタンプに基づく赤色等で光輝すると共にムーブメントにより回転されて、文字板９１に形成された目盛り９１２ａ、数字９１２ｂを指示する。固定板９３は、透明生地の樹脂性シートに黒色印刷されたものである。固定板９３は、裏面に配置されるムーブメントや光源、基板等を視点ＥＰから隠匿すると共に、文字板９１を配置するためのベース板となる。
【００１３】
このような構成において、所定の点灯信号によって光源９４が点灯すると、光源９４からの光は受光部９１５に入って文字板９１内を進行する。そうすると、半円環状の導光型の文字板９１は光輝して、着座したドライバの視点ＥＰからは、固定板９３から浮かびあがったように視認される。これによって、図６で示した従来にはなかった立体感を表現することができる。また、窓側からの外部光は、上述した表示部９１２の角度により、視点ＥＰに反射することもなくなった。
【００１４】
なお、この出願の発明に関連する先行技術文献情報としては次のものがある。
【特許文献１】特願２００５−１９５８５６
【特許文献２】特開平０９−３１８３９９号公報
【発明の開示】
【発明が解決しようとする課題】
【００１５】
しかしながら、図８等で示した従来例によると他の問題点が発生する。すなわち、上述のように、文字板９１は、表示部９１２の角度を維持するために、固定板９３に垂直に立設された外壁部９１４を有している。この外壁部９１４には、図９に示すように、文字板９１を固定板９３に固定するためにピン９１４ａ等が設けられていることもあり、所定の厚さを有する必要がある。
【００１６】
したがって、文字板９１に形成される目盛り９１２ａや数字９１２ｂ等の指示意匠の大きさは、この外壁部９１４の厚さに規制されることになる。例えば、図９及び図１０に示すように、目盛り９１２ａの長さｗは、９１２ａ′で示すように、外側方向に対して外壁部９１４によって規制される。目盛り９１２ａを、内側方向に延長するのにしても、文字板９１自体の大きさやスペース的な制約がある。
【００１７】
要するに、図８等で示した従来例によると、外壁部９１４によって目盛り９１２ａを十分に長くすることができないため、視認性及び見栄えに改善が求められていた。なお、上述の例では、目盛り９１２ａの長さの問題を例示したが、目盛り９１２ａや数字９１２ｂ等の指示意匠の大きさが外壁部９１４によって制約を受けると考えてもよい。
【００１８】
よって本発明は、上述した現状に鑑み、指示意匠を何ら変更することなく、指示意匠が実際よりも拡大されたように視認させることができる文字板を提供することを課題としている。
【課題を解決するための手段】
【００１９】
上記課題を解決するためになされた請求項１記載の文字板は、視認者の視点側に向かうように立設された所定の厚さの外壁部と、前記外壁部に対して所定角度を有し、背面側において該外壁部に近接して指示意匠が形成された表示部と、を有する透過性のある材料で形成された文字板において、前記指示意匠が前記視点側において拡大されて視認されるように、前記表示部の一部に意匠拡大部を設け、前記意匠拡大部は、前記表示部における前記外壁部の直上部に相当する部位が斜面状に切り欠かれたような形状をしている、ことを特徴とする。
【００２０】
請求項１記載の発明によれば、表示部の背面側においては、外壁部に近接して指示意匠が形成されている。そして、この指示意匠が実際よりも拡大されたように視認されるように、表示部の一部に意匠拡大部が設けられている。よって、指示意匠の大きさを何ら拡大することなく、指示意匠が実際よりも拡大されたように視認させることができる。また、意匠拡大部は、表示部における外壁部の直上部に相当する部位が斜面状に切り欠かれたような形状をしているので、指示意匠の 大きさを何ら拡大することなく、しかも、文字板の基本形状を維持しつつ、指示意匠が実際よりも拡大されたように視認させることができる。
【００２３】
上記課題を解決するためになされた請求項２記載の文字板は、請求項１記載の文字板において、前記意匠拡大部は、凹面状をしている、ことを特徴とする。
【００２４】
請求項２記載の発明によれば、凹面状をした意匠拡大部によって、指示意匠がより拡大されたように視認させることができる。
【００２７】
上記課題を解決するためになされた請求項３記載の文字板は、請求項１又は請求項２に記載の文字板において、前記表示部は、前記外壁部における前記視認者に最も近い箇所を頂点として内側に向かって徐々に下降していくように形成されている、ことを特徴とする。
【００２８】
請求項３記載の発明によれば、外壁部における視認者に最も近い箇所を頂点として内側に向かって徐々に下降していくように形成されているので、表示部が浮かびあがったよう
に視認される。
【発明の効果】
【００２９】
請求項１記載の発明によれば、表示部の背面側においては、外壁部に近接して指示意匠が形成されている。そして、この指示意匠が実際よりも拡大されたように視認されるように、表示部の一部に意匠拡大部が設けられている。よって、指示意匠の大きさを何ら拡大することなく、指示意匠が実際よりも拡大されたように視認させることができる。したがって、視認性及び見栄えを大きく向上させることができる。また、意匠拡大部は、表示部における外壁部の直上部に相当する部位が斜面状に切り欠かれたような形状をしているので、指示意匠の大きさを何ら拡大することなく、しかも、文字板の基本形状を維持しつつ、指示意匠が実際よりも拡大されたように視認させることができる。したがって、簡単な構成でありながら、視認性及び見栄えを大きく向上させることができる。
【００３１】
請求項２記載の発明によれば、凹面状をした意匠拡大部によって、指示意匠がより拡大されたように視認させることができる。したがって、視認性及び見栄えをより向上させることができる。
【００３３】
請求項３記載の発明によれば、外壁部における視認者に最も近い箇所を頂点として内側に向かって徐々に下降していくように形成されているので、表示部が浮かびあがったように視認される。したがって、視認性及び見栄えが良好で、且つ、十分な立体感を表現することができる。
【発明を実施するための最良の形態】
【００３４】
以下、本発明の実施の形態を図面に基づいて説明する。図１は、本発明の一実施形態に係る文字板を用いた計器の要部を示す斜視図である。図２は、図１のＡＡ線断面図である。図３は、図１の文字板による作用及び効果を説明するための斜視図である。図４は、本発明の文字板の基本作用を説明するための図である。図５（Ａ）及び図５（Ｂ）は、実施形態における文字板の意匠拡大部の変形例を示す断面図である。
【００３５】
図１に示すように、この実施形態の文字板を用いた計器１は、例えば、スピードメータ部を示し、固定板１３、固定板１３の裏面に配置されたムーブメントによって駆動され、該固定板１３の表面に沿って回動する指針１２と、この指針１２に指示される目盛り１１２ａ、数字１１２ｂが形成されると共に光源１４からの光を導光可能な導光型の文字板１１と、を有している。なお、目盛り１１２ａ、数字１１２ｂは、請求項の指示意匠に対応する。
【００３６】
文字板１１は、透過性のある材料で形成された導光性のある樹脂製であり、遮光性のある固定板１３の表面に取り付けられている。ムーブメント（不図示）及び光源１４は、固定板１３の裏面側に配置され、固定板１３によってドライバ等の視点からは隠匿されている。半円環状の文字板１１の端部は折れ曲がって受光部１１５が形成されている。受光部１１５は、固定板１３に設けられた穴１３ａを介して、固定板１３の裏側に突き抜けている。受光部１１５は、光源１４としての発光ダイオードに対向するように設定されている。
【００３７】
詳しくは、文字板１１は、図２にも示すように、外側（指針軸方向と逆方向）に向かって徐々に隆起していくような半円環状をして、目盛り１１２ａ、数字１１２ｂを視認すべきドライバの視点ＥＰにその表示部１１２が対面するような所定角度を持って、固定板１３から該視点ＥＰ側に浮き上がるように配置されている。ここでは、目盛り１１２ａ、数字１１２ｂは、表示部１１２の裏面側に凹状に形成されているが、凸状に形成してもよい。目盛り１１２ａ、数字１１２ｂは、例えば、白色、青色等に着色されている。
【００３８】
表示部１１２の上記所定角度は、窓側からの外部光を視点ＥＰに反射させることなく、且つ、文字板１１周囲の黒色部分を該視点ＥＰに反射させるような角度に設定されている。文字板１１周囲の黒色部分とは、例えば、黒色のクラスタやフード等である。上記角度を維持するために固定板１３に垂直に、すなわち、ドライバの視点側に向かうように立設された外壁部１１４を有している。この外壁部１１４には、図２に示すように、文字板１１を固定板１３に固定するためにピン１１４ａ（請求項の取り付け部に対応）等が設けられていることもあり、所定の厚さを有している。
【００３９】
この外壁部１１４と上記表示部１１２とが交差すべき外周角部は、すなわち、表示部１１２における外壁部１１４の直上部に相当する部位は、全周にわたって切り欠いたような形状の意匠拡大部１１３が形成されている。意匠拡大部１１３は、後述するが、目盛り１１２ａ等の指示意匠が実際よりも長く視認されるようにするためのものである。この意匠拡大部１１３は、基本的には傾斜平面状になっている。図２に示すように、外壁部１１４に所定角度を有して連接された表示部１１２の背面側においては、外壁部１１４に近接して目盛り１１２ａが凹状に形成されている。
【００４０】
意匠拡大部１１３は、滑らかな傾斜平面状であってもよいが、シボ加工を施すことが好ましい。シボ加工を施すことによって、文字板１１を固定するためにピン１１４ａ等をドライバの視点から隠匿することが可能になる。また、表示部１１２の立体感を強調するのにも役立つ。したがって、意匠拡大部１１３にシボ加工を施すことによって見栄えをより向上させることができる。
【００４１】
なお、表示部１１２の内縁部も、切り欠かれたような形状をして半円状にシボ加工部１１１が形成されている。このシボ加工部１１１は、意匠拡大部１１３のような目盛り１１２ａを長く視認させる効果はないが、表示部１１２の立体感を強調するのに役立つ。
【００４２】
指針１２は、周知のように、固定板１３の裏面側に配置された光源（不図示）からの光を受けて指針底面に形成されたホットスタンプに基づく赤色等で光輝すると共にムーブメントにより回転されて、文字板１１に形成された目盛り１１２ａ、数字１１２ｂを指示する。固定板１３は、透明生地の樹脂性シートに遮光性をもたせるために黒色印刷を施したものである。固定板１３は、裏面に配置されるムーブメントや光源、基板等を視点ＥＰから隠匿すると共に、文字板１１を配置するためのベース板となる。
【００４３】
上記実施形態の作用を説明する前に、本発明の基本作用を図４を用いて説明する。図４において、符号を付した各構成要素は、図１〜図３に示した構成要素を概略的に表現したものである。説明を明確にするため、ここでは、文字板１１の表示部１１２は固定板１３に対して傾斜していないものとしている。
【００４４】
図４に示すように、従来の文字板９１によると、目盛り１１２ａの外壁部１１４に最も近接した端部１１２ａ１は、Ｌ９で示すような光路で視点ＥＰに向かう。したがって、従来の文字板９１によると、目盛り１１２ａは図中ｗで示すような長さに対応する像となって視点ＥＰにおいて視認される。これに対して、本発明の文字板１１によると、目盛り１１２ａの外壁部１１４に最も近接した端部１１２ａ１は、意匠拡大部１１３によって、Ｌ１で示すような光路で視点ＥＰに向かう。したがって、本発明の文字板１１によると、目盛り１１２ａは図中ｗ＋ｄで示すような長さに対応する像が視点ＥＰにて視認される。すなわち、意匠拡大部１１３によって、目盛り１１２ａが従来よりｄだけ図中左側に拡張されて視認されることになる。
【００４５】
このような基本作用に着目した上記実施形態で示した構成の計器１においては、所定の点灯信号によって光源１４が点灯すると、光源１４からの光は受光部１１５に入って文字板１１内を進行する。そうすると、半円環状の導光型の文字板１１は光輝して、着座したドライバの視点からは、黒色の固定板１３から文字板１１が浮かびあがったように視認される。これにより、計器１において、図１に示すように、文字板１１全体の立体感を表現することができる。
【００４６】
また、図２及び図３に示すように、表示部１１２における外壁部１１４の直上部に相当する部位が斜面状に切り欠かれたような形状の意匠拡大部１１３によって、目盛り１１２ａが、長さＷの１１２ａ′に示すように、実際の長さｗ（拡大されていない場合の長さｗ）よりも外向けに延長されたように視認される。なお、目盛り１１２ａの長さは何ら拡大することなく、しかも、文字板１１の基本形状にほとんど手を加える必要はない。したがって、構成を複雑化することなく、数字１１２ｂの視認性も向上させることができる。
【００４７】
なお、指針１２は、固定板１３の裏面側に配置された光源からの光を受けて赤色等で光輝すると共にムーブメントにより回転されて、文字板１１に形成された目盛り１１２ａ、数字１１２ｂを指示する。
【００４８】
以上説明したように、本発明の実施形態によれば、目盛り１１２ａ等の指示意匠の大きさを何ら拡大することなく、しかも、文字板の基本形状にほとんど手を加えることなく、指示意匠が実際よりも拡大されたように視認させることができる。したがって、視認性及び見栄えを大きく向上させることができる。また、文字板１１全体の立体感も表現することができる。
【００４９】
なお、意匠拡大部の形状は、図５（Ａ）の１１３ｘに示すように、凹面状にすることが好ましい。凹面状をした意匠拡大部１１３ｘによって、指示意匠がより拡大されたように視認させることができる。したがって、視認性及び見栄えをより向上させることができる。また、意匠拡大部の形状は、図５（Ｂ）の１１３ｙに示すように、角度の異なる傾斜平面１１３ｙ１、１１３ｙ２から構成されるようにしてもよい。
【００５０】
また、上記実施形態においては、棒状の目盛り１１２ａが延長される例を示したが、数字１１２ｂが延長されるようにしてもよい。請求項の指示意匠は、数字１１２ｂに限定されず、目盛り１１２ａ等の他の意匠も含むものである。また、実施形態においては、目盛り１１２ａが凹状に形成されるものとしたが、目盛り１１２ａを含む指示意匠は、凸状であってもよい。更に、文字板１１は半円環状を例示したが、円環状であってもよい。また、正円の円環状であってもよいし、楕円の円環状であってもよい。
【００５１】
また更に、上記実施形態では、車載計器に含まれるスピードメータ部を例に挙げて説明したが、本発明はこれに限定されるものではない。一般的に、この種の計器は、コンビネーションメータともよばれて、タコメータ部、スピードメータ部、水温計部及び燃料計部等が一体化されて構成されるが、本発明はこれらのいずれにも適用可能である。
【図面の簡単な説明】
【００５２】
【図１】本発明の一実施形態に係る文字板を用いた計器の要部を示す斜視図である。
【図２】図１のＡＡ線断面図である。
【図３】図１の文字板による作用及び効果を説明するための斜視図である。
【図４】本発明の文字板の基本作用を説明するための図である。
【図５】図５（Ａ）及び図５（Ｂ）は、実施形態における文字板の意匠拡大部の変形例を示す断面図である。
【図６】従来のこの種の文字板を有する計器の要部を示す斜視図である。
【図７】図６の文字板を有する計器の問題点を説明するための図６におけるＢＢ線断面図である。
【図８】他の従来の文字板を用いた計器の要部を示す斜視図である。
【図９】図８におけるＣＣ線断面図である。
【図１０】図８の文字板による作用及び問題点を説明するための斜視図である。
【符号の説明】
【００５３】
１  計器
１１  文字板
１２  指針
１３  固定板
１４  光源
１１１  シボ加工部
１１２ａ  目盛り
１１２ｂ  数字
１１３  意匠拡大部
１１４  外壁部
１１５  受光部
【図１】
0004764683.tif 000002
【図２】
0004764683.tif 000003
【図３】
0004764683.tif 000004
【図４】
0004764683.tif 000005
【図５】
0004764683.tif 000006
【図６】
0004764683.tif 000007
【図７】
0004764683.tif 000008
【図８】
0004764683.tif 000009
【図９】
0004764683.tif 000010
【図１０】
0004764683.tif 000011